(57)【要約】【課題】電子ダイヤル、シャッターボタン、ズームレバーの一連の動作をする際に電子ダイヤルの操作性を向上させ、かつ、電子ダイヤルのクリック機構を小型化すること。【解決手段】クリック機構２８と電子ダイヤル１５とシャッターボタン４とズームレバー５の位置関係は、クリック機構の電子ダイヤル１５に向けた付勢方向と電子ダイヤル１５の中心位置とシャッターボタン４の中心位置とズームレバー５の操作者が操作する先端部５ａが略一直線上に並ぶ構成とする。【選択図】図２
2017049495.tif 000002
【特許請求の範囲】
【請求項１】
外装カバー（１１）と
回転操作可能なフロントリング（１９）とシャッターボタン（４）とズームレバー（５）と回転操作可能な電子ダイヤル（１５）とグリップ部材（１８）を有しており、
前記電子ダイヤル（１５）は、前記グリップ部材（１８）に隣接されるように配置され、かつ、
前記電子ダイヤル（１５）は、レリーズボタン（４）の下方に配置され、
前記電子ダイヤル（１５）のクリック機構を前記グリップ部材（１８）の内部に配置し、かつ、前記電子ダイヤル（１５）のクリック機構は本体内部の電源（電池）と投影上重なる位置に配置され、
フロントリング（１９）と電子ダイヤル（１５）は、それぞれを回転操作する際にお互いに操作が干渉しない一定の隙間が空いていて、かつ、
前記クリック機構の付勢方向は、前記電子ダイヤル（１５）の中心位置と一致し、
前記電子ダイヤル（１５）の中心位置とクリック機構の付勢方向とシャッターボタン（４）の中心位置とズームレバー（５）の先端部（５ａ）が一直線上（３０）に並び、
前記グリップ部材（１８）は電子ダイヤル（１５）の天面よりも外観側に突出していることを特徴とする電子機器。
【発明の詳細な説明】
【技術分野】
【０００１】
本発明は、回転して操作可能なダイヤルを具備した撮像装置に関する。
【背景技術】
【０００２】
従来の回転して操作可能な電子ダイヤルには、一般的に電子ダイヤル回転部とカバー部材で構成されている。電子ダイヤル回転部は、グリップを保持した状態で人差し指で操作され、その回転面が水平面に対して略直角に設けられている。カバー部材は、一部が切り欠かれた周辺部と正面部に分割してあり、前記電子ダイヤル回転部の露出部分を最小限にし、不用意に電子ダイヤルが操作できないようにされている（特許文献１参照）。
【先行技術文献】
【特許文献】
【０００３】
【特許文献１】特許０３４７２４０９号公報
【発明の概要】
【発明が解決しようとする課題】
【０００４】
上記の特許文献１では、不用意に電子ダイヤルが出来ないようにしたカバー部材の構成であるが、電子ダイヤル、シャッターボタン、ズームレバーの一連の動作の中での電子ダイヤルの操作性向上、および電子ダイヤルのクリック機構の小型化は、明記されていない。
【０００５】
本発明は、このような点に鑑み、電子ダイヤル、シャッターボタン、ズームレバーの一連の動作をする際の電子ダイヤルの操作性の向上と、電子ダイヤルのクリック機構の小型化を目的とする。
【課題を解決するための手段】
【０００６】
本発明に係る電子機器は、
外装カバー（１１）と
回転操作可能なフロントリング（１９）とシャッターボタン（４）とズームレバー（５）と回転操作可能な電子ダイヤル（１５）とグリップ部材（１８）を有しており、
前記電子ダイヤル（１５）は、前記グリップ部材（１８）に隣接されるように配置され、かつ、
前記電子ダイヤル（１５）は、レリーズボタン（４）の下方に配置され、
前記電子ダイヤル（１５）のクリック機構を前記グリップ部材（１８）の内部に配置し、かつ、前記電子ダイヤル（１５）のクリック機構は本体内部の電源（電池）と投影上重なる位置に配置され、
フロントリング（１９）と電子ダイヤル（１５）は、それぞれを回転操作する際にお互いに操作が干渉しない一定の隙間が空いていて、かつ、
前記クリック機構の付勢方向は、前記電子ダイヤル（１５）の中心位置と一致し、
前記電子ダイヤル（１５）の中心位置とクリック機構の付勢方向とシャッターボタン（４）の中心位置とズームレバー（５）の先端部（５ａ）が一直線上（３０）に並び、
前記グリップ部材（１８）は電子ダイヤル（１５）の天面よりも外観側に突出していることを特徴とする。
【発明の効果】
【０００７】
本発明に係る電子機器によれば、電子ダイヤル、シャッターボタン、ズームレバーの一連の動作をする際に電子ダイヤルの操作性を向上させ、かつ、電子ダイヤルのクリック機構を小型化することができる。
【図面の簡単な説明】
【０００８】
【図１】本発明の実施例に係わるカメラの外観斜視図
【図２】本発明の実施例に係わるカメラの外観正面図および上面図
【図３】本発明の実施例に係わるカメラのフロント側の分解斜視図
【発明を実施するための形態】
【０００９】
以下、本発明の実施形態について図面を参照して詳細に説明する。
【００１０】
＜第１の実施形態＞
図１、図２は本発明の実施形態である撮像装置の図である。図１（ａ）は本発明の実施形態であるデジタルカメラ１の正面斜視図であり、図１（ｂ）はデジタルカメラ１の背面斜視図である。
【００１１】
デジタルカメラ１の背面には、ＬＣＤ表示部２が配置されている。ＬＣＤ表示部２の右側には、操作ボタン３ａ、３ｂ、３ｃ、３ｄ、３ｅが配置されている。操作ボタン３ａ、３ｂ、３ｃ、３ｄ、３ｅを操作することにより撮影画像をＬＣＤ表示部２に表示したり、様々な設定を行ったりすることができる。
【００１２】
デジタルカメラ１の上面部には、撮影時にシャッターを切る為のシャッターボタン４、ズーム操作が可能なズームレバー５、電源ＯＮ／ＯＦＦ操作をする為の電源ボタン６、撮影モードを切り替えるモードダイヤル７、露出の変更操作を行う露出補正ダイヤル８などが配置されている。
上面部を形成するカバーは、トップカバー９である。
【００１３】
端子カバー１０は、外部接続端子をカバーする部材である。外部接続端子にケーブルを接続する際には、端子カバー１０を開いて、外部接続端子を露出させる。フロントカバー１１は、デジタルカメラ１の前面を覆う外装部材である。フロントカバーには、グリップ部材１８と回転操作可能なフロントリング１９が取り付けられている。リアカバー１２は、デジタルカメラ１の背面を覆う外装部材である。レンズ鏡筒ユニット１３は、デジタルカメラ１が撮影可能状態となるときに、前方に繰り出して被写体像を撮像素子に結像させる。ストロボユニット１４は、ポップアップ式のストロボであり、ストロボをポップアップさせ閃光発光することで被写体を照明する。
【００１４】
電子ダイヤル１５は、操作者が回転動作をすることにより、各種モードにおいて、設定値を変更することが可能である。電子ダイヤル１５は、グリップ部材１８の隣接位置に取り付けられており、光軸と平行な回転軸を中心に回転する。電子ダイヤル１５は、フロントリング１９からある一定の空間を空けて、グリップ部材１８との間に配置されて、その空間は操作者が電子ダイヤル１５もしくは、フロントリング１９のどちらか一方を操作する際に、操作する指が操作をしていない他方に当たらない距離となっている。その距離は、限定はしないが、少なくとも、指一本程度以上の空間があることが望ましい。フロントリング１９は、光軸を中心として回転する。
【００１５】
電子ダイヤル１５は、シャッターボタン４とズームレバー５よりも下方に配置されていて、一方を操作する際に、操作する指が操作をしていない他方に当たらない距離となっている。その距離は、限定はしないが、少なくとも、指一本程度以上の空間があることが望ましい。
【００１６】
ストラップ取付部材は、デジタルカメラ１の左右２箇所に配置されている。デジタルカメラ１の正面から見て、右側にストラップ取付部１６、左側にストラップ取付部１７がある。ストラップを左右のストラップ取付部１６、１７に取り付けることにより、ユーザーは、カメラを首から下げることができる。
【００１７】
次に、本発明における電子ダイヤル１５の構造を説明する。図３は電子ダイヤル１５が組み込まれているフロントカバーユニットの分解斜視図である。
【００１８】
電子ダイヤル１５は、外観部品で撮影者が操作をする電子ダイヤル１５と、電子ダイヤル１５やその他の部品を固定するベース部材２０と、クリック感を発生させるためのクリックプレート２１、クリックボール２２、クリックバネ２３と、電子ダイヤル１５の回転を検出するためのダイヤルブラシ２４と、クリックプレート２１とダイヤルブラシ２４の間に配置されていてお互い同士を絶縁する絶縁シート２５と、これらの部品をフロントインナー部品２６にビスにて締結するホルダープレート２７の部品で構成されている。フロントインナー部品２６は、フロントカバー１１に両面テープにて固定される。
【００１９】
電子ダイヤル１５、ベース部材２０、クリックプレート２１、ダイヤルブラシ２４、絶縁シート２５は、電子ダイヤル１５と一体的に回転可能となっており、それぞれベース部材２０に対して、位置を決めて固定されている。
【００２０】
電子ダイヤル１５は、回転操作可能であり、クリックプレート２１とクリックボール２２とクリックバネ２３の作用によって、回転した時のクリック感を発生させている。クリックプレート２１は、クリックボール２２と接触する面に凹凸が設けられており、その凹凸でクリックの感触とクリックの位置を決めている。クリックボール２２は、クリックバネ２３の付勢力によって、常にクリックプレート２１に当接するようになっている。クリックバネ２３の付勢方向を延長すると、電子ダイヤル１５の回転中心と一致するようになっている。
【００２１】
電子ダイヤルの回転の検出は、ダイヤルブラシ２４とダイヤルブラシ２４に対向する不図示のフレキシブルプリント基板に配設された配線パターンにより生成される波形信号によって行われる。
【００２２】
図１および図２からわかるように電子ダイヤル１５とグリップ部材１８は、隣り合うように配置されており、グリップ部材１８の電子ダイヤル１５と隣り合う面１８ａは、電子ダイヤル１５を操作する際に触れる面のローレット１５ａを覆うようになっている。また、グリップ部材１８の面１８ａには、切り欠き１８ｂが設けてある。フロントインナー２６には、クリックボール２２、クリックバネ２３を収納するためにホルダー形状２６ａがあり、ホルダー形状２６ａは切り欠き１８ｂにはめ込まれる。それにより、覆いかぶさる構成となっているため、電子ダイヤル１８が組み込まれた際には、外観からクリック機構は隠れた状態となる。
【００２３】
電子ダイヤル１５の天面は、グリップ部材１８の本体厚み方向の最頂部よりも低い。クリックボール２２、クリックバネ２３は、図２の点線２８で示した位置で、グリップ部材１８の内部に配置されている。クリック機構と電子ダイヤル１５とシャッターボタン４とズームレバー５の関係は、クリック機構の電子ダイヤル１５に向けた付勢方向と電子ダイヤル１５の中心位置とシャッターボタン４の中心位置とズームレバー５の操作者が操作する先端部５ａが図２の一点鎖線３０で示したように略一直線上に並ぶ構成となっている。
【００２４】
また、デジタルカメラ１の電源となる電池は、図２の点線部２９で示したの本体内部に位置し、電子ダイヤル１５とクリック機構２８は、投影上電池２９と重なる位置に配置されている。しかし、電子ダイヤル１５が本体外部に配置されているため、本体を大型化せずに電子ダイヤル１５を構成可能となっている。クリック機構は、前述のとおり、グリップ１８の内部に配置されているため、外観上美観を損なわない。
【００２５】
以上、説明したように、クリック機構の電子ダイヤル１５に向けた付勢方向と電子ダイヤル１５の中心位置とシャッターボタン４の中心位置とズームレバー５の操作者操作する先端部５ａが略一直線上に並ぶ構成となっているため、ズームレバー５を操作後に電子ダイヤル１５を操作する際に、操作者の指が先端部５ａからスムーズに電子ダイヤル１５のローレット１５ａに移動することが容易にできるため、操作性が向上する。同様に電子ダイヤル１５を操作後にズームレバー５を操作する際も操作性が向上する。
【００２６】
また、ズームレバー５を操作後に電子ダイヤル１５を操作する際の操作者の指の位置は、クリック機構が内蔵されている点線部２８の電子ダイヤル１５を中心とする略１８０度反対側のローレット１５ａに操作することになる。そのことによって、クリックボール２２と反対側の位置の電子ダイヤル１５に操作者の指が当たることで、クリックを安定的に行うことが可能となる。さらに、電子ダイヤル１５とクリック機構２８は、投影上電池２９と重なる位置に配置されているため、電子ダイヤル１５を本体内部に収納するよりも小型化ができる。
【符号の説明】
【００２７】
４  シャッターボタン、５  ズームレバー、１１  外装カバー、１５  電子ダイヤル、
１８  グリップ部材、２８  クリック機構の位置、２９  電池の位置
【図１】
2017049495.tif 000003
【図２】
2017049495.tif 000004
【図３】
2017049495.tif 000005